(57)【要約】      （修正有）【課題】乗りかご内から乗場の乗降口近くに設けられた器具の保守作業を行うようにして、作業性を向上させるとともに作業員に対する安全性を確保できるエレベータ装置を提供する。【解決手段】乗りかご１１の昇降路１２に対する各階乗場１３の乗降口１４近くに器具１５が設置され、この器具１５に対する保守作業を昇降路１２側から行うように構成されたエレベータ装置で、器具１５の背面と対向する乗りかご１１の側面パネルに、内外に貫通する点検口２１及びこの点検口２１を覆う蓋体を開放可能に設けると共に、この点検口２１に、蓋体が開放されると乗りかご１１の昇降動作をロックする安全スイッチを設置した。【選択図】図１
2007091430.tif 000002
【特許請求の範囲】
【請求項１】
乗りかごの昇降路に対する各階乗場の乗降口近くに器具が設置され、この器具に対する保守作業を昇降路側から行うように構成されたエレベータ装置であって、
前記器具の背面と対向する前記乗りかごの側面パネルに設けられ、内外に貫通する点検口と、
この点検口を開放可能に覆うように設けられた蓋体と、
前記点検口に設置された前記蓋体が開放されると前記乗りかごの昇降動作をロックする安全スイッチと
を備えたことを特徴とするエレベータ装置。
【請求項２】
蓋体に覆われた点検口に対向する乗りかご内面は、行き先操作盤が設置されたパネルにより開閉可能に覆われていることを特徴とする請求項１に記載のエレベータ装置。
【請求項３】
点検口が器具背面との対向位置に移動したことを検出する位置検出手段を設け、この位置検出手段の検出動作により乗りかごの昇降動作を停止させるように制御回路を構成した請求項１に記載のエレベータ装置。
【請求項４】
器具は、各階乗場に設けられたランタン器具であり、保守作業は、ランタン球の点検又は交換作業であることを特徴とする請求項１乃至請求項３のいずれかに記載のエレベータ装置。
【請求項５】
器具は、各階乗場に設けられたホールボタン又はホールインジケータであり、保守作業は、それらの点検又は修理作業であることを特徴とする請求項１乃至請求項３のいずれかに記載のエレベータ装置。
【発明の詳細な説明】
【技術分野】
【０００１】
本発明は、乗りかごの昇降路に対する各階乗場の乗降口近くに器具が設置され、この器具に対する保守作業を昇降路側から行うように構成されたエレベータ装置に関する。
【背景技術】
【０００２】
一般に、エレベータ装置では、乗りかごに対する各階乗場の乗降口近くに、ランタン器具が設置されている。ランタン器具とは、内部にランタン球が設けられ、その点灯により、エレベータかごの昇降方向や自階への着床状態を表示するものである。このランタン球は、その機能上、点灯・消灯が頻繁に行なわれるため、かなりの頻度で交換する必要がある。
【０００３】
ランタン球の交換作業は、通常、ランタン器具の背面側、すなわち、乗りかごの昇降路側から行われる。なお、ランタン器具の正面側、すなわち、乗り場ホール側から交換するものも提案されている（例えば、特許文献１参照）。しかし、正面側は乗客により視認されるため、美観を有する意匠としなければならないが、正面側から交換する構造では、意匠上に制限を受けてしまう。このため、多くが背面側からランタン球を交換する構造であった。
【０００４】
従来、ランタン球を昇降路側から交換する場合、乗りかごを点検運転させ、作業員が乗りかごの上（天井部外面）に乗り込み、昇降路内から交換作業を行っていた。また、最下階のランタン器具に対しては、乗りかごを充分低い位置に下げることができないため、乗りかご上に乗って作業できず、エレベータピット内に脚立などを立てて作業を行っていた。
【特許文献１】特開２００１−１６３５３８号公報
【発明の開示】
【発明が解決しようとする課題】
【０００５】
このように、最下階以外での交換作業では、作業員は乗りかごの上に乗り、ランタン球の交換作業を昇降路内から行うため、安全確保に改善の余地があった。すなわち、作業員が乗りかごの上に乗った状態で乗りかごを、ランタン球の交換に適した高さまで低速で移動させ、交換後も作業員を乗せたまま、低速で所定の位置に乗りかごを移動させ、作業員を乗りかごの上から降ろすようにしている。この間、作業員は乗りかごの上（昇降路内）に、不安定な状態で位置することになる。
【０００６】
また、最下階のランタン器具に対しては、前述のように、乗りかごを、作業員がその上に乗って交換作業できる高さまで降下させることができないため、エレベータピット内から作業することとなる。しかし、ピット床面からランタン器具までの高さは、ピット深さが１５００mmの場合３５００mmとなり、ピット深さが３０００mmの場合は４５００mmにもなり、かなりの高所作業になる。このため、脚立などを用いた作業となるが、ピット内には各種の機器が設置されているため脚立などを安定した状態で設置することが難しく、作業員は乗降口の三方枠や昇降路側の梁にしがみついたりして作業することとなり、安全上問題があった。
【０００７】
さらに、作業員は、上記いずれの場合も昇降路内に露出した状態で作業を行うため、隣接号機が稼動している状態では、やはり安全上問題があった。
【０００８】
本発明の目的は、乗りかご内から乗場の乗降口近くに設けられた器具の保守作業を行うようにして、作業性を向上させるとともに作業員に対する安全性を確保できるエレベータ装置を提供することにある。
【課題を解決するための手段】
【０００９】
本発明のエレベータ装置は、乗りかごの昇降路に対する各階乗場の乗降口近くに器具が設置され、この器具に対する保守作業を昇降路側から行うように構成されたエレベータ装置であって、前記器具の背面と対向する前記乗りかごの側面パネルに設けられ、内外に貫通する点検口と、この点検口を開放可能に覆うように設けられた蓋体と、前記点検口に設置された前記蓋体が開放されると前記乗りかごの昇降動作をロックする安全スイッチとを備えたことを特徴とする。
【００１０】
本発明では、蓋体に覆われた点検口に対向する乗りかご内面は、行き先操作盤が設置されたパネルにより開閉可能に覆われている。
【００１１】
また、本発明では、点検口が器具背面との対向位置に移動したことを検出する位置検出手段を設け、この位置検出手段の検出動作により乗りかごの昇降動作を停止させるように制御回路を構成した。
【００１２】
また、本発明では、器具は、各階乗場に設けられたランタン器具であり、保守作業は、ランタン球の点検又は交換作業である。
【００１３】
さらに、本発明では、器具は、各階乗場に設けられたホールボタン又はホールインジケータであり、保守作業は、それらの点検又は修理作業であってもよい。
【発明の効果】
【００１４】
本発明によれば、作業員はエレベータかご内から、点検口を介して作業を行うので、従来のように作業員が昇降路内に露出することはなく、作業性が向上するとともに、作業員に対する安全性を確保することができる。
【発明を実施するための最良の形態】
【００１５】
以下、本発明によるエレベータ装置の一実施の形態について、図面を用いて詳細に説明する。
【００１６】
図１は、この実施の形態における保守作業状態を示している。図１において、１１は乗りかごで、建物内に形成された昇降路１２内を昇降移動する。この乗りかご１１の昇降路１２に対する各階乗場１３の乗降口１４近くには、器具１５が設置されている。この器具１５はランタン器具とする。このランタン器具１５に対する保守作業（ここでは、ランタン球の交換作業とする）は、ランタン器具１５の背面側、すなわち、昇降路１２内に位置する乗りかご１１内から、後述する点検口２１を通して行われる。
【００１７】
図２は、上記乗りかご１１内の構成を示している。１６はかご側の乗降口で、乗りかご１１の一面に設けられ、図１で示した各階乗場１３の乗降口１４と連動して開閉動作する。乗りかご１１の内面の、上記乗降口１６の両側には、行き先操作盤１７が設置されたパネル１８が設けられている。このパネル１８は、一般にリターンパネルと呼ばれるもので、図示しないヒンジにより乗りかご１１の内面に対し、開閉可能に構成されている。
【００１８】
前記点検口２１は、ランタン器具１５の背面と対向する、乗りかご１１の側面パネルに、内外に貫通して設けられている。この点検口２１は、常時は着脱可能に取付けられた蓋体２２により閉鎖されており、ランタン球交換作業時など、必要に応じて任意に開放することが可能である。蓋体２２に覆われた点検口２１は、常時は、前記リターンパネル１８により、開閉可能に覆われている。
【００１９】
図３は上記点検口２１部分を拡大して示している。点検口２１は、前述のように蓋体２２によって閉鎖されているが、この蓋体２２の開放動作に連動して作動する安全スイッチ２３を有する。この安全スイッチ２３は、蓋体２２が取り外され、点検口２１が開放された場合、乗りかご１１の昇降動作をロックするものである。すなわち、安全スイッチ２３の作動により、例えば、乗りかご１１を昇降駆動する図示しない駆動モータへの電力供給を断って、昇降動作をロックするように構成すればよい。
【００２０】
上記構成に於いて、ランタン器具１５に対するランタン球の交換作業を行う場合、作業員２５はいずれかの階床の乗場１３から乗りかご１１内に乗り込み、乗りかご１１を点検運転により点検位置に移動させる。すなわち、乗りかご１１に設けた点検口２１が、対応するランタン器具１５の背面との対向位置まで上昇又は下降させる。この場合、点検口２１がランタン器具１５の背面との対向位置に移動したことを検出する図示しない位置検出手段を設けておき、この位置検出手段の検出動作により乗りかご１１の昇降動作を停止させるように制御回路を構成すると、乗りかご１１を自動的に点検位置まで移動させることができ、作業がいっそう容易になる。
【００２１】
この後、点検口２１が設けられた側のリターンパネル１７を開き、かつ、蓋体２２を取外して点検口２１を開放する。そして、この開放された点検口２１を通して、ランタン器具１５に対するランタン球の交換作業を背面側から実施する。このとき、前記蓋体２２を開放したことにより、安全スイッチ２３が作動しているので、乗りかご１１が移動することはなく、交換作業中の作業員に対する安全性を確保できる。
【００２２】
交換作業後は、上述と反対の手順により、まず蓋体２２を閉じ、リターンパネル１７を閉じた後、乗りかご１１を点検運転して、最寄りの乗場１３に着床させて作業を終了する。
【００２３】
このように、作業者は、従来のように乗りかご１１の上に乗ったり、エレベータピット上の脚立に乗った、不安定で、昇降路１２中に露出した状態で作業を行うことなく、安全な乗りかご１１内から、安定した状態で作業することができるので、作業者に対する安全性を確保できると共に、作業性も向上する。
【００２４】
なお、上記実施の形態では、各階乗場１３の乗降口１４近くに設置される器具１５として、ランタン器具を例示し、その保守作業として、ランタン球の点検又は交換作業を例示したが、これ以外でも勿論構わない。例えば、各階乗場１３の乗降口１４近くに設置される器具１５は、各階乗場１３に設けられたホールボタン又はホールインジケータでもよく、保守作業は、それらの点検又は修理作業であってもよい。
【図面の簡単な説明】
【００２５】
【図１】本発明によるエレベータ装置の一実施の形態を示す概念図である。
【図２】同上一実施の形態に用いる乗りかご内部の構成を示す斜視図である。
【図３】同上一実施の形態における点検口部分の拡大図である。
【符号の説明】
【００２６】
１１    乗りかご
１２    昇降路
１３    乗場
１４    乗降口
１５    器具
１７    行き先操作盤
１８    パネル
２１    点検口
２２    蓋体
２３    安全スイッチ
２５    作業員
【図１】
2007091430.tif 000003
【図２】
2007091430.tif 000004
【図３】
2007091430.tif 000005